(57)【要約】【課題】地震により大きな揺れが生じても室内設置物が床面上を勝手に走らないようにすると共に室内設置物の固定作業も簡単に行なえる作業性の良い移動防止装置を提供する。【解決手段】床面Ｆに設置される薄台板１と、薄台板１の表面１ａの両側領域に設けられ薄台板１の表面１ａに載せた室内設置物ＣのキャスターＫを収納して固定するキャスター収納枠２，３と、薄台板１の裏面１ｂに取着される滑り止め板５と、を備えた構成からなる。【選択図】図１
2013247989.tif 000002
【特許請求の範囲】
【請求項１】
床面に設置される薄台板と、前記薄台板の表面の両側域に設けられ前記薄台板の表面に載せた室内設置物のキャスターを収納して固定するキャスター収納枠と、前記薄台板の裏面に取着される滑り止め板と、を備えたことを特徴とするキャスター付室内設置物の移動防止装置。
【請求項２】
一側域のキャスター収納枠と他側域のキャスター収納枠は、それぞれ互いに相手側域を向く面と上端面とが連なるようにして開放され、両側域に設けられた前記キャスター収納枠のうち少なくとも一方の側域にあるキャスター収納枠は前記相手側域を向く面と直交する方向に沿って着脱自在に取着されている請求項１記載のキャスター付室内設置物の移動防止装置。
【請求項３】
前記薄台板の表面の両側域に設けた各キャスター収納枠における開放された上端面には、前記キャスター収納枠を平面的に見てその中に収納されたキャスターと一部重なる抜止部材が配置される請求項２記載のキャスター付室内設置物の移動防止装置。
【発明の詳細な説明】
【技術分野】
【０００１】
本発明は、地震の発生により建物が揺れた場合に、室内でキャスターの付いた室内設置物が勝手に床面を走ってその室内に居る人に当たり怪我をさせるといった危険性を防ぐキャスター付室内設置物の移動防止装置（以下、単に「移動防止装置」という。）に関するものである。
【背景技術】
【０００２】
従来、例えば病院の病室にあっては、患者の収容人数に合わせ室内設置物としてのベッドや患者の身の回り品を収納するキャビネットといった室内設置物が設置されている。また、ビルに入っている一般の事務室には、書類を整理するキャビネット、コピー機、部品棚、机といった室内設置物が設置されている。これら室内設置物には、他の場所への移動が便利なようにそれら下面にほとんどキャスターが取着されている。
【０００３】
ところで、わが国は地震が多く、例えば地震により病院の建物が横揺れを受けた場合、病室の床面に設置されているキャビネットやベッドは、ほとんど下面にキャスターが取着されていることから床面上を勝手に走る。このように、室内設置物が床面上を勝手に走ると、室内に居る人に該室内設置物が当たって怪我をさせるといった危険性が高い。この点に鑑み、室内設置物であるキャビネットを所定の位置に設置した後に、キャスターの車輪を回転しないようにロックしておくキャスター操作部を設けた室内設置物が有る（例えば、特許文献１参照。）。また、各キャスターの車輪を床面から上方へ浮かし、地震時の横揺れに対して室内設置物が床面を走らないように工夫したキャスターの固定装置が有る（例えば、特許文献２参照。）。
【先行技術文献】
【特許文献】
【０００４】
【特許文献１】特開２０１１−１６１１６８号公報（第４−９頁、図１乃至図１０）
【特許文献２】実開平４−７６５０２号公報（第４−７頁、図１乃至図２）
【発明の概要】
【発明が解決しようとする課題】
【０００５】
しかしながら、前記特許文献１に示すキャスターのようにその車輪が床面に接地していると、床面に対する車輪の設置面積が小さいことから、地震による揺れ特に横揺れが生じた場合、ストッパが効いていてもそのままキャスターの車輪が床面を滑り室内設置物が勝手に走ってしまい、該室内設置物が室内に居る人に当たって怪我をさせるといった危険性は未だ残り解決されていない。また、前記特許文献２に示すキャスターの固定装置にあっては、床面と接する固定装置の底面の面積が小さいことから、この程度では地震による横揺れが生じた場合、固定装置が床面を滑って室内設置物が勝手に走ったり固定装置がキャスターから外れてキャスターが自由になったりして、前記のような危険性は解消されない。また、固定装置により室内設置物を床面に固定する際に、各キャスターを床面から押し上げるためにターンバックルをいちいち回動させなくてはならず面倒であり、しかも室内設置物の重量が重いときはターンバックルを回動させるに大きな力が必要になってその分固定作業が難しくなる。
【０００６】
そこで、本発明は前記課題を解決すべくなされたもので、地震が発生し大きな揺れが生じても室内設置物が床面上を勝手に走らないようにすると共に室内設置物の固定作業も簡単に行なえる作業性の良い移動防止装置を提供することを目的とするものである。
【課題を解決するための手段】
【０００７】
かかる目的を達成するため本発明の移動防止装置は、床面に設置される薄台板と、前記薄台板の表面の両側域に設けられ前記薄台板の表面に載せた室内設置物のキャスターを収納して固定するキャスター収納枠と、前記薄台板の裏面に取着される滑り止め板と、を備えたことを特徴とする。
【０００８】
この際、本発明の移動防止装置にあって、一側域のキャスター収納枠と他側域のキャスター収納枠は、それぞれ互いに相手側域を向く面と上端面とが連なるようにして開放され、両側域に設けられた前記キャスター収納枠のうち少なくとも一方の側域にあるキャスター収納枠は前記相手側域を向く面と直交する方向に沿って着脱自在に取着されていることが好ましい。
【０００９】
また、本発明の移動防止装置にあって、前記薄台板の表面の両側域に設けた各キャスター収納枠における開放された上端面には、前記キャスター収納枠を平面的に見てその中に収納されたキャスターと一部重なる抜止部材が配置されることが好ましい。
【発明の効果】
【００１０】
本発明に係る移動防止装置は、床面に設置される薄台板と、該薄台板の表面の両側域に設けられ該薄台板の表面に載せた室内設置物のキャスターを収納して固定するキャスター収納枠と、前記薄台板の裏面に取着される滑り止め板と、を備えている。このように、各キャスター収納枠にキャスターが収納され固定されて室内設置物と薄台板とが一体となり、しかも薄台板の裏面には滑り止め板が取着されているので、床面との間に大きな摩擦力が得られ、たとえ、地震が発生して揺れ、特に横揺れを生じても、室内設置物が床面を走るといったことが防止される。これにより、室内設置物が当たって人がケガをするという危険性がなくなるという効果が有る。
【００１１】
また、本発明に係る移動防止装置にあって、薄台板が薄く、しかも一側域のキャスター収納枠と他側域のキャスター収納枠は、それぞれ互いに相手側域を向く面と上端面とが連なるようにして開放され、両側域に設けられた前記キャスター収納枠のうち少なくとも一方の側域にあるキャスター収納枠は前記相手側域を向く面と直交する方向に沿って着脱自在に取着されていることから、薄台板の上面に室内設置物を持ち上げることなくそのままキャスターを転がして引き入れ又は押し出しが行なえる。よって、室内設置物の設置や移動作業が多くの労力を必要とすることなく簡単に行なえる。
【００１２】
更に、本発明の移動防止装置にあって、薄台板の表面の両側域に設けた各キャスター収納枠における開放された上端面には、キャスター収納枠を平面的に見てその中に収納されたキャスターと一部重なる抜止部材が配置されるので、例えば特に縦揺れが生じてもキャスターが抜止部材に引っ掛かってキャスター収納枠から抜け出てしまうといったことがなく室内設置物が安定している。
【図面の簡単な説明】
【００１３】
【図１】本発明に係る移動防止装置の表から見た斜視図。
【図２】本発明に係る移動防止装置の裏から見た斜視図。
【図３】本発明に係る移動防止装置の平面図。
【図４】一側のキャスター収納枠を外した本発明に係る移動防止装置の平面図。
【図５】（イ）は図３のＷ−Ｗ線拡大断面図、（ロ）は図３のＸ−Ｘ線拡大断面図。
【図６】（イ）は図３のＹ−Ｙ線拡大断面図、（ロ）は図３のＺ−Ｚ線拡大断面図。
【図７】使用状態を示す本発明に係る移動防止装置の一側の拡大断面図。
【図８】使用状態を示す本発明に係る移動防止装置の他側の拡大断面図。
【発明を実施するための形態】
【００１４】
以下、本発明に係る移動防止装置の最良の実施の形態を図面に基き詳しく説明する。図１は本発明に係る移動防止装置の表から見た斜視図、図２は本発明に係る移動防止装置の裏から見た斜視図、図３は本発明に係る移動防止装置の平面図、図４は一側のキャスター収納枠を外した本発明に係る移動防止装置の平面図、図５（イ）は図３のＷ−Ｗ線拡大断面図、図５（ロ）は図３のＸ−Ｘ線拡大断面図、図６（イ）は図３のＹ−Ｙ線拡大断面図、図６（ロ）は図３のＺ−Ｚ線拡大断面図である。
【００１５】
本発明は、例えば病院内の病室に設置されるベッドや該ベッドの脇に置かれ患者の身の回り品を収納するキャビネットといった室内設置物、またはビル内の一般の事務室に設置され書類を収納するキャビネット、コピー機、部品棚、机といった室内設置物、または一般の家庭の床面に設置される本棚、箪笥、冷蔵庫といった室内設置物であって下面にキャスターが取着されているものの固定に使用される。このうち、本発明は病院内の病室における床面に設置される室内設置物としてのキャビネットの固定に使用される場合について説明する。
【００１６】
本発明に係る移動防止装置Ａは、合成樹脂材、コンクリート、木質合板を利用した床面に対して用いられる。該移動防止装置Ａは、床面Ｆに設置される薄台板１と、該薄台板１の表面１ａの両側域に設けられ室内設置物としての後記するキャビネットＣを引き入れそのキャスターＫを収納して固定するキャスター収納枠２，３とを備えている。
【００１７】
薄台板１は、鋼板やステンレス板といった金属板からなり、一辺が所定長さ（例えば、６２５ｍｍ）の方形状に形成され、厚みが２〜３ｍｍに設定されている。一辺の長さは、その表面に載って固定される室内設置物の大きさ重量により適宜選定される。本発明では、キャビネットＣは例えば縦５１５ｍｍ、横５３０ｍｍ、高さ１７００ｍｍの寸法を有する直方体形状からなり、重量が５０〜６０ｋｇに設定されている。また、薄台板１の中央部には、切り抜かれた開口４が形成されている。これは、移動防止装置Ａを手で持って移動することがあるので、全体の重量を軽減させて取り扱いを容易にするためである。
【００１８】
そして、薄台板１の表面１ａの一側域に２個のキャスター収納枠２，２がその一側域に沿って並んで設けられ、表面１ａの他側域にこれら２個のキャスター収納枠２，２に対応させて２個のキャスター収納枠３，３が同じく他側域に沿って並んで設けられている。これらキャスター収納枠２，３内には、キャスターＫが収納されることになる。薄台板１の裏面１ｂには、その４隅部に弾性板からなる滑り止め板５が接着剤により貼着されている。この滑り止め板５の素材は、例えば天然ゴム、合成ゴムまたはエラストマーといった摩擦抵抗の大きい素材が選ばれ、その厚さは２ｍｍ程度と薄い。
【００１９】
前記薄台板１の表面１ａにおける一側域の２個のキャスター収納枠２，２は、いずれも同じ構成からなるので、そのうち一方のキャスター収納枠２について説明し、他方のキャスター収納枠２についての説明は省略する。キャスター収納枠２は、薄台板１の表面１ａに固着される略方形状の基板６の上面に平面視略台形状の囲い板７が溶接により一体に突設されている。該囲い板７は両側のテーパ状の側板部７ａ，７ａと狭窄側で両側板部７ａ，７ａを繋ぐ奥板部７ｂとを有し、両側板部７ａ，７ａの拡開側の端面７ｃと上端面７ｄがそれぞれ連なるようにして開放されている。このうち、拡開側の端面７ｃが薄台板１の表面１ａにおける他側域すなわち該他側域のキャスター収納枠３に対向位置している。両側板部７ａ，７ａの外側であって前記基板６には複数の螺子挿通孔８が開設され、これら螺子挿通孔８に対応して薄台板１には螺子孔９が設けられている。そして、螺子挿通孔８を介して各螺子孔９に螺子１０を螺締めすることにより、キャスター収納枠２が固着される。
【００２０】
また、囲い板７の上端面７ｄには、両側板部７ａ，７ａの上端縁からそれぞれ内側へ折れ曲がる板状の抜止部材１１，１１が配置されている。該各抜止部材１１，１１はキャスター収納枠２を平面的に見てその中に収納されるキャスターＫ（Ｋ１）と一部重なるようになっている。キャスター収納枠２の囲い板７が平面略台形状に形成されその拡開側の端面７ｃが他側のキャスター収納枠３と対向位置しているのは、キャスターＫが転動して引き込まれる入口側を広くしてその収納を容易にすると共に、奥板部７ｂ側をキャスターＫの幅に近づくように狭くして収納されたキャスターＫが必要以上に動かないようにするためである。
【００２１】
一方、薄台板１の表面１ａの他側域に設けられる２個のキャスター収納枠３もそれぞれ同じ構成からなるので、そのうち一方のキャスター収納枠３について説明し、他方のキャスター収納枠３についての説明は省略する。該キャスター収納枠３は、平面視略台形状の囲い板１２から形成されている。該囲い板１２は両側のテーパ状の側板部１２ａ，１２ａと狭窄側で両側板部１２ａ，１２ａを繋ぐ奥板部１２ｂとを有し、両側板部１２ａ，１２ａの拡開側の端面１２ｃと上端面１２ｄ及び下端面１２ｅがそれぞれ連なるようにして開放されている。このうち、拡開側の端面１２ｃが薄台板１の表面１ａにおける一側域すなわち該一側域のキャスター収納枠２に対向位置している。両側板部１２ａ，１２ａの下縁には、外側へ直角に折れ曲がり、両側板部１２ａ，１２ａを合わせた全体の外周輪郭が平面視略正方形をなす取付板部１３，１３が設けられている。該キャスター収納枠３も、前記と同様に上端面１２ｄには一方の側板部１２ａの上縁から内側へ折れ曲がる平板状の抜止部材１４が配置されている。抜止部材１４も、キャスター収納枠３を平面的に見てその中に収納されるキャスターＫ（Ｋ２）と一部重なるようになっている。
【００２２】
この場合は、薄台板１の表面１ａにおける他側域に一側域の各キャスター収納枠２，２と対応して２個のキャスター収納枠３，３が配置されるので、それら配置される位置に一側域の各キャスター収納枠２，２側から他側域を見た場合に、その方向と平行となる一対のレール１５，１５が敷設されている。各レール１５，１５には対向する内面に平行な溝１６，１６が設けられ、各レール１５の長手方向に沿って複数の螺子挿通孔１７が設けられている。これら螺子挿通孔１７に対応させて薄台板１には螺子孔１８が設けられ、各螺子挿通孔１７を介して螺子孔１８には螺子１９を螺合させることにより、各レール１５が薄台板１に固着される。両レール１５，１５間には、拡開側の端面１２ｃと直交する方向すなわち一側域のキャスター収納枠２とは反対側から他側域のキャスター収納枠３が着脱自在に差し込まれる。各レール１５における溝１６の奥端部には、差し込まれたキャスター収納枠３を止める停止板２０が設けられている。
【００２３】
他側域のキャスター収納枠３の囲い板１２のうち狭窄側の奥板部１２ｂの下端部外面には、キャスター収納枠３が両レール１５，１５から抜け出ないように固定する固着手段としてのロック機構２１が設けられている。該ロック機構２１における本体枠２２内には、係合ピン２３が上下方向に進退自在に設けられている。また、本体枠２２の外周面には、前記係合ピン２３と連繋して該係合ピン２３を作動させる摘み２４が取着されている。摘み２４は上下に回動すると共に上方に回動して停止したときは係合ピン２３の先端部が薄台板１の表面１ａより下方へ突出し、摘み２４が下方に回動して停止したときは係合ピン２３の先端部が薄台板１の表面１ａより上方へ後退するようになっている。また、上方へ回動して停止した係合ピン２３は、バネ（図示せず。）により簡単には下方へ回動しないようになっている。一方、薄台板１には、該係合ピン２３が挿通して係合される係合孔２５が開設されている。そこで、摘み２４を摘んで係合ピン２３を係合孔２５に係合させた状態では、摘み２４を操作しない限り係合ピン２３が係合孔２５から抜けないようになっている。すなわち、レール１５，１５からキャスター収納枠３を抜くことができないことになる。
【００２４】
他側域に位置する両キャスター収納枠３，３における奥板部１２ｂには、それぞれ透孔２６が開設され、該各透孔２６，２６間に連結用の索条であるチエン２７が掛け渡されている。これにより、互いのキャスター収納枠３，３を分離させその一方を紛失するなどして使用に差し障りが生じないようにしている。また、薄台板１の他側域の側縁であって他側域の両キャスター収納枠３，３間には、薄台板１を手で持ち上げて運ぶための把手紐２８が設けられている。
【００２５】
本発明に係る移動防止装置Ａは上記構成からなり、次にその使用方法を説明する。まず、病院のベッドの脇であって床面ＦにキャビネットＣを設置する位置を決め、該床面Ｆに本発明に係る移動防止装置Ａを配置する。壁に沿って配置する場合は、薄台板１の一側域に固着された両キャスター収納枠２，２を壁側に位置させる。そして、薄台板１の他側域のキャスター収納枠３，３をレール１５，１５から抜き取っておく。この状態で、キャビネットＣを移動させ薄台板１の表面１ａに他側域側から引き入れて載せる。これにより、キャビネットＣにおける先のキャスターＫ（Ｋ１），Ｋ（Ｋ１）が、レール１５，１５を通過して図７に示すように一側域のキャスター収納枠２，２に拡開側の端面７ｃから収納される。また、後のキャスターＫ（Ｋ２），Ｋ（Ｋ２）が他側域の両レール１５，１５間に位置する。
【００２６】
次に、他側域の各レール１５，１５間にそれぞれ開放される拡開側の端面１２ｃ側からキャスター収納枠３を差し込み、図８に示すように該各後のキャスターＫ（Ｋ２），Ｋ（Ｋ２）を他側域のキャスター収納枠３に収納する。最後に他側域のキャスター収納枠３，３において、各係合ピン２３と薄台板１の各係合孔２５が合致した位置で摘み２４を摘んで操作し各係合ピン２３を各係合孔２５に挿通する。これにより、キャビネットＣが移動防止装置Ａによりしっかりと固定される。よって、地震が発生して建物が大きく横に揺れても、各キャスターＫ（Ｋ１），Ｋ（Ｋ１）が各キャスター収納枠２，３に収納され、しかも、薄台板１の裏面１ｂの各滑り止め板５がその摩擦力により床面Ｆをしっかりと掴んでいるので、キャビネットＣの必要のない移動を防ぐことができる。
【００２７】
移動防止装置Ａを別の場所へ移動させる場合は、他側域の各キャスター収納枠３におけるロック機構２１の摘み２４を操作して係合孔２５から係合ピン２３を抜く。そして、両レール１５，１５からキャスター収納枠３，３を抜き取っておく。この状態で、薄台板１の表面１ａからキャビネットＣを押し出す。キャビネットＣが移動防止装置Ａの表面１ａから移動すれば、他側域の両レール１５，１５に他側域のキャスター収納枠３，３を再び差し込む。また、各ロック機構２１，２１の摘み２４，２４を操作して、各係合孔２５に各係合ピン２３を係合させる。これにより、両キャスター収納枠３，３が固定される。そして、把手紐２８を持って移動防止装置Ａを吊り上げ、キャビネットＣと共に所定の場所に移動して再び前記と同様に床面Ｆ上に移動防止装置Ａを配置し、その表面１ａにキャビネットＣを引き入れて固定する。
【００２８】
このように、本発明に係る移動防止装置Ａにあっては、キャビネットＣと薄台板１とが一体となり、しかも薄台板１の裏面１ｂには滑り止め板５が取着されているので、たとえ、地震が発生し横揺れを生じたとしても、キャビネットＣが床面Ｆを走るといったことが防止される。また、薄台板１が薄く少なくとも一方の側域のキャスター収納枠３が取り外せ、キャビネットＣを床面Ｆから該薄台板１の表面１ａへ引き入れるに、キャビネットＣを持ち上げる必要がなくキャスターＫの車輪Ｗを転がして移動させるのみで行なえることから、多くの労力を必要とすることなく簡単に作業が行なえる。また、薄台板１の表面１ａに設けられた各キャスター収納枠２，３の上端面７ｄ，１２ｄには、これらキャスター収納枠２，３を平面的に見てその中に収納されたキャスターＫ（Ｋ１），Ｋ（Ｋ２）と一部重なる抜止部材１１，１４が配置されているので、例えば地震により縦揺れが生じても上昇するキャスターＫ（Ｋ１），Ｋ（Ｋ２）が抜止部材１１，１４に引っ掛かってキャスター収納枠２，３から抜け出てしまうといったことがなくキャビネットＣが安定している。
【００２９】
本発明にあっては、薄台板１の表面１ａにおける一側域と他側域にそれぞれ２個ずつキャスター収納枠２，３を方形状の４隅部に配置したが、これら４隅部のうち対角線上に位置する２箇所にそれぞれキャスター収納枠を配置するようにしても良い。また、薄台板１の表面１ａにおける一側域と他側域のキャスター収納枠２，３のうち、他側域のキャスター収納枠３のみ着脱自在に取着するようにしたが、一側域と他側域の両側域のキャスター収納枠２，３を共に着脱自在に取着できるようにしても良い。薄台板１は一辺６２５ｍｍの正方形状としたが、これに限られることはなく、例えば一辺８００ｍｍまたは１０００ｍｍの正方形状としても良い。更に、薄台板１の形状は正方形状に限らず室内設置物によっては長方形状、円形状、楕円形状であっても良い。更にまた、前記固着手段としてロック機構２１について説明したが、これに限られるものではなく同じ作用・効果が得られれば他の構成としても良い。
【符号の説明】
【００３０】
１                  薄台板
１ａ                表面
１ｂ                裏面
２                  キャスター収納枠
３                  キャスター収納枠
５                  滑り止め板
７ｄ                上端面
１１                抜止部材
１２ｄ              上端面
１４                抜止部材
２１                固着手段（ロック機構）
Ａ                  移動防止装置
Ｃ                  室内設置物（キャビネット）
Ｆ                  床面
Ｋ、Ｋ１，Ｋ２      キャスター
【図１】
2013247989.tif 000003
【図２】
2013247989.tif 000004
【図３】
2013247989.tif 000005
【図４】
2013247989.tif 000006
【図５】
2013247989.tif 000007
【図６】
2013247989.tif 000008
【図７】
2013247989.tif 000009
【図８】
2013247989.tif 000010